(57)【特許請求の範囲】
【請求項１】
上部開放の箱型に形成した商品収納部に、該商品収納部を仕切る中間仕切壁を設け、該中間仕切壁の上部に形成した冷気吹出口から供給される冷気のエアカーテンにて商品収納部を保冷する平型オープンショーケースにおいて、
非営業時に前記エアカーテンの外側を覆うナイトカバーを冷気吹出口上部に備えるに際し、前記ナイトカバーを、中間仕切壁の上部板を支えるレール状のナイトカバー取付板に固定し、一方、前記ナイトカバーを必要としないときには、このレール状のナイトカバー取付板の取付方向を変えて、中間仕切壁の上部板を支えるようにしたことを特徴とする平型オープンショーケース。
【請求項２】
上部開放の箱型に形成した商品収納部に、背面壁の上部に形成した冷気吹出口から冷気のエアカーテンを供給して商品収納部を保冷する平型オープンショーケースにおいて、
非営業時に前記エアカーテンの外側を覆うナイトカバーを冷気吹出口上部に備えるに際し、前記ナイトカバーを、背面壁の上部板を支えるレール状のナイトカバー取付板に固定し、一方、前記ナイトカバーを必要としないときには、このレール状のナイトカバー取付板の取付方向を変えて、背面壁の上部板を支えるようにしたことを特徴とする平型オープンショーケース。
【請求項３】
上部開放の箱型に形成した商品収納部に、該商品収納部を仕切る中間仕切壁を設け、該中間仕切壁の上部に形成した冷気吹出口から供給される冷気のエアカーテンにて商品収納部を保冷する平型オープンショーケースにおいて、
前記エアカーテンの外側を非営業時に覆うナイトカバーを、冷気吹出口上部に着脱自在とし、
ナイトカバー取外し時、断面略コ字状のナイトカバー取付板の開口部を、上側又は下側に向けて、中間仕切壁の上部板を支え、
ナイトカバー取付け時、断面略コ字状のナイトカバー取付板の開口部を、横側に向けて、中間仕切壁の上部板を支え且つナイトカバーを固定するようにしたことを特徴とする平型オープンショーケース。
【請求項４】
上部開放の箱型に形成した商品収納部に、背面壁の上部に形成した冷気吹出口から冷気のエアカーテンを供給して商品収納部を保冷する平型オープンショーケースにおいて、
前記エアカーテンの外側を非営業時に覆うナイトカバーを、冷気吹出口上部に着脱自在とし、
ナイトカバー取外し時、断面略コ字状のナイトカバー取付板の開口部を、上側又は下側に向けて、背面壁の上部板を支え、
ナイトカバー取付け時、断面略コ字状のナイトカバー取付板の開口部を、横側に向けて、背面壁の上部板を支え且つナイトカバーを固定するようにしたことを特徴とする平型オープンショーケース。
【請求項５】
前記断面略コ字状のナイトカバー取付板は、中間辺をナイトカバーが固定できる程度に長く形成し、その両辺をナイトカバーを取り外した際に出来るだけ丈を低く抑えることができるように短く形成したことを特徴とする請求項３又は４記載の平型オープンショーケース。
【発明の詳細な説明】
【０００１】
【発明の属する技術分野】
本発明は、ナイトカバーの脱着が、ナイトカバー取付板とその関連部材の組み付け替えで簡単にできる平型オープンショーケースに関する。
【０００２】
【従来の技術】
従来、平型オープンショーケースの標準仕様製品には、巻取式のナイトカバーは付属せず、オプション製品となっていた。しかし、冷気のエアカーテン外側を非営業時に覆うナイトカバーは、近年、省エネルギーを図る観点から有効であるため、既存の製品に対しても後付けすることが多くなって来ている。
しかしながら、ナイトカバーの付いていない、旧タイプの既存のショーケースに、新規にナイトカバーを取り付ける場合は、取付作業として、ノジングヒータの切断、再結線や、ナイトカバー取付板やナイトカバー等の部品交換や追加等の改造が必要となった。従って、改造作業に手間がかかり、工事業者等の専門家が改造を行うこととなり、コスト的に高価とならざるを得なかった。
【０００３】
そこで、本出願人は、既に、特願平９−１８０７７６号で、ナイトカバーが収納される箱状の収納ユニットを、冷気吹出口部上部にネジにより取り付けるだけのナイトカバーを提案している。
また、特願平９−１８０７７６号の収納ユニットではなくても、ノジングヒータの切断、再結線を必要としない新タイプの既存のショーケースでは、商品の見え方が広くなるように、ナイトカバーを付けていない場合はなるべく背面壁、もしくは中間仕切壁を低くしているため、ナイトカバーを改造取付けする場合、ナイトカバー取付部材とその関連部材を専用に製作しておき、既存のショーケースの背面壁部材もしくは中間仕切壁部材と、交換取付けを行うようになっている。
【０００４】
【発明が解決しようとする課題】
ところで、平型オープンショーケースの標準仕様（新タイプ）製品に、特願平９−１８０７７６号の収納ユニットを取り付けた場合、収納ユニットに多くの部材が含まれると共にそれを完成されたものの上に取り付けるので、背面壁もしくは中間仕切壁の高さが高くなると共にコストアップとならざるを得なかった。
また、新タイプの既存のショーケースに、ナイトカバーを改造取付けする場合は、取り外した背面壁部材もしくは中央仕切部材は不必要となり、スクラップを余儀なくされた。
【０００５】
本発明は、上記の課題に鑑み創案されたもので、その目的とするところは、新タイプのショーケースのナイトカバー取付板と、その関連部材の組み付け替えで、ナイトカバーの装着等の改造に対応できる、スクラップを要しない、コストアップとならない背面壁もしくは中間仕切壁を有する平型オープンショーケースを提供するにある。
【０００６】
【課題を解決するための手段】
上記課題を解決するため、本発明の平型オープンショーケースにおいては、上部開放の箱型に形成した商品収納部に、該商品収納部を仕切る中間仕切壁又は背面壁を設け、該中間仕切壁又は背面壁の上部に形成した冷気吹出口から供給される冷気のエアカーテンにて商品収納部を保冷する平型オープンショーケースにおいて、非営業時に前記エアカーテンの外側を覆うナイトカバーを冷気吹出口上部に備えるに際し、前記ナイトカバーを、中間仕切壁又は背面壁の上部板を支えるレール状のナイトカバー取付板に固定し、一方、前記ナイトカバーを必要としないときには、このレール状のナイトカバー取付板の取付方向を変えて、中間仕切壁または背面壁の上部板を支えるようにしたことを特徴としている。
【０００７】
また、本発明は、ナイトカバーを冷気吹出口上部に着脱自在とし、ナイトカバー取外し時、断面略コ字状のナイトカバー取付板の開口部を、上側又は下側に向けて、中間仕切壁又は背面壁の上部板を支え、ナイトカバー取付け時、断面略コ字状のナイトカバー取付板の開口部を、横側に向けて、中間仕切壁又は背面壁の上部板を支え且つナイトカバーを固定するようにしたことを特徴としている。
尚このとき、断面略コ字状のナイトカバー取付板は、中間辺をナイトカバーが固定できる程度に長く形成し、その両辺はナイトカバーを取り外した際に出来るだけ丈を低く抑えることができるように短く形成するのが望ましい。
【０００８】
上記構成を採用したことにより、中間仕切壁及び背面壁に設けたナイトカバー取付板の向きを変えることにより、ナイトカバーと取付ビスがあれば、簡単容易に巻取式ナイトカバーを取り付けることができ、スクラップにするような部材をなくし、安価にナイトカバーを着脱することができる。
【０００９】
【発明の実施の形態】
以下、本発明の好適な実施の形態を図面に基づいて説明する。
図１は両面平型ショーケースの側面断面図、図２はナイトカバー取外し時の両面平型ショーケースの中間仕切壁部の断面側面図、図３はナイトカバー取付け時の両面平型ショーケースの中間仕切壁部の断面側面図である。
【００１０】
まず、図１に示すように、両面平型オープンショーケース１は、上部開放の箱形に形成された商品収納部２と、この商品収納部２を適度の高さに保持する台座部３とから構成され、商品収納部２は、その中央に設けた中間仕切壁４により、２つの陳列部２ａ，２ｂに分断されている。
【００１１】
そして、商品の陳列部２ａ，２ｂは、一体発泡パネル構造の外装パネル５で囲まれている。前記外装パネル５と商品陳列部２ａ，２ｂの間には、所定空間をあけて冷気の循環ダクト６ａ，６ｂが形成され、商品収納部２の床下循環ダクト内には冷却器７ａ，７ｂと、送風機８ａ，８ｂが配設されている。この冷却器７ａ，７ｂで冷却された空気は、商品収納部２の中央に設けられた中間仕切壁４の内部循環ダクト６ｃを通って、仕切壁４の上部に形成された両サイドの吹出口９ａ，９ｂから、商品収納部２の両サイドに向って吹き出され、陳列部２ａ，２ｂに収納した食品等を冷却した後、両サイド内側の吸込口１０ａ，１０ｂから再び循環ダクト６ａ，６ｂ内に循環される構造となっている。
【００１２】
次に、図２及び図３により、中間仕切壁４の構成について説明する。
中間仕切壁４に設けられた吹出口９ａ，９ｂの上部には、皿状の中板１１が設けられ、更に、該中板１１の上にベース状の断熱材１２が、また、該ベース状の断熱材１２の上にスペーサ状の断熱材１３が設けられる。そして、該スペーサ状の断熱材１３の上に、凹状の中間板１４が設けられ、更に、その上に断面略コ字状のナイトカバー取付板１５ａ，１５ｂが、また更に、該ナイトカバー取付板１５ａ，１５ｂの上に上部板１６が取り付けられる。
【００１３】
前記ナイトカバー取付板１５ａ，１５ｂは、ナイトカバー１７を取付けしない時、図２に示すように、断面略コ字状のナイトカバー取付板１５ａ，１５ｂの開口部を、夫々下側に向けて高さを低くし、上部板１６を支えるように組み付けられている。
なお、凹状の中間板１４は側方に延び、両側にノジング部１８，１８を形成し、裏側で支持部材１９，１９を介して、前記中板１１とベース状の断熱材１２に固定されている。また、２０は温度計，２１はカードレール，２２はノジングヒータである。
【００１４】
そして、図３に示すように、ナイトカバー１７を取り付ける時、断面略コ字状のナイトカバー取付板１５ａ，１５ｂの胴部外側に巻取式のナイトカバー１７，１７をビスによって取り付け、断面略コ字状の取付板１５ａ，１５ｂの向きを変えて、開口部を横側（内側に対向させて）に向けて、上部板１６を支えるように組み付け替えする。なお、２３はナイトカバー１７の取手部、２４はナイトカバー１７のロールＲに巻回されたフィルム部である。
【００１５】
両面平型ショーケース１において、このように、中間仕切壁４を構成すると、ナイトカバー取付板１５ａ，１５ｂの向きを変えることにより、ナイトカバー１７と取付ビスがあれば、簡単容易に巻取式ナイトカバー１７を取り付けることができ、スクラップにするような部材をなくし、安価に後付けすることができる。
【００１６】
次に、片面平型ショーケースの場合について、図４乃至図６に基づいて説明する。
図４は片面平型ショーケースの側面断面図、図５はナイトカバー取外し時の片面平型ショーケースの背面壁部の断面側面図、図６はナイトカバー取付け時の片面平型ショーケースの背面壁部の断面側面図である。
【００１７】
片面平型ショーケース３１も、図４に示すように、上部開放の箱形に形成された商品収納部３２と、この商品収納部３２を適度の高さに保つ台座部３３とから構成されている。
前記商品収納部３２を囲む外板は、発泡パネルの外板が外装パネル３４を兼ねる一体発泡パネル構造からなっており、その上部の四囲の三面に風防ガラス３５を立設し、その上端縁廻りに上部レール３６を取付け、下端縁廻りに下部レール３７をビス等により取り付けている。
【００１８】
前記外装パネル３４と商品収納部３２の陳列部の間には、所定空間を設けて、冷気の循環ダクト３８を形成してあり、商品収納部３２の床下循環ダクト内には冷却器３９と送風機４０が配設されている。この冷却器３９で冷却された空気は、循環ダクト３８内を通って、背面壁４１の上部の吹出口４２から商品収納部３２の前側に向けて吹き出され、商品収納部３２内に収容した食品等を冷却するようにしており、この吹き出された冷気は、商品収納部３２の最前部に設けた吸込口４３から、再びダクト３８内に循環される構造となっている。
【００１９】
そして、図５及び図６に示すように、背面壁４２の構成は次のようになっている。
背面壁４１に設けられた吹出口４２の上部には、逆Ｌ字状の中板４４が設けられ、更に、該中板４４の上にベース状の断熱材４５が、また、該ベース状の断熱材４５の上に、スペーサ状の断熱材４６が設けられる。そして、該スペーサ状の断熱材４６の上に断面柄状の中間板４７が設けられる。なお、４８も断熱材である。そして、中間板４７の上に、断面略コ字状のナイトカバー取付板４９が、また更に、該ナイトカバー取付板４９の上に逆Ｌ字状の上部板５０が取り付けられる。
【００２０】
前記ナイトカバー取付板４９は、ナイトカバー５１を取り付けない時、図５に示すように、断面略コ字状のナイトカバー取付板４９の開口部を上側に向けて、高さを低くし、背面壁上部板５０を支えるように組み付けられている。なお、背面壁上部板５０の背面側の逆Ｌ字状の短辺は、中間板４７にも取り付けられている。
【００２１】
前記中間板４７の前側にはノジング部５２が形成され、裏側で支持部材５３を介して、前記中板４４とベース状の断熱材４５に固定されている。なお、５４は温度計、５５はカードレール、５６はノジングヒータである。
【００２２】
そして、図６に示すように、ナイトカバー５１を取り付ける時、断面略コ字状のナイトカバー取付板４９の胴部外側に巻取式のナイトカバー５１をビスにより取付、断面略コ字状の取付板４９の向きを変えて、開口部を横側（背面側）に向けて、背面壁上部板５０を支えるように組み付け替えをする。なお、この時、背面壁上部板５０の背面側の中間板４７との取付位置も上側に変更する。なお、５７はナイトカバー５１の取手部、５８はナイトカバー５１のロールＲＬに巻回されたフィルム部である。
【００２３】
片面平型ショーケース３１においても、背面壁４１をこのように構成すると、ナイトカバー取付板４９の向きを変えることにより、ナイトカバー５１と取付ビスがあれば、簡単容易に巻取式ナイトカバー５１を取り付けることができる。
【００２４】
【発明の効果】
以上説明したように、本発明の平型オープンショーケースによれば、次のような効果を奏する。
（１）本発明によれば従来ナイトカバーを取り付けるため中間仕切壁部もしくは背面壁部に別部材を使って改造取り付けすることがなく、ナイトカバーと取付ビスがあれば容易に取付けが可能となる。
（２）既に標準仕様にて店舗に収められている該当ショーケースにおいても、ナイトカバーと取付ビスがあれば容易に後付けが可能となる。
（３）逆に、ナイトカバーが不要になり取り外す場合も別部材を使わないため、いつでも容易に対応できる（ムダな部品は発生せず現部材を再利用できる）。
（４）また、ナイトカバー取付部材は、ナイトカバーを付けていない場合には中間仕切壁上部もしくは背面壁上部の補強部材として有効である。
【図面の簡単な説明】
【図１】  両面平型ショーケースの側面断面図である。
【図２】  ナイトカバー取外し時の両面平型ショーケースの中間仕切壁分の断面側面図である。
【図３】  ナイトカバー取付け時の両面平型ショーケースの中間仕切壁部の断面図である。
【図４】  片面平型ショーケースの側面断面図である。
【図５】  ナイトカバー取外し時の片面平型ショーケースの背面壁部の断面側面図である。
【図６】  ナイトカバー取付け時の片面平型ショーケースの背面壁部の断面側面図である。
【符号の説明】
１      両面平型オープンショーケース
２      商品収納部
２ａ，２ｂ    陳列部
３      台座部
４      中間仕切壁
５      外装パネル
６ａ，６ｂ，６ｃ    循環ダクト
７ａ，７ｂ    冷却器
８ａ，８ｂ    送風機
９ａ，９ｂ    吹出口
１０ａ，１０ｂ  吸込口
１１    中板
１２    断熱材
１３    断熱材
１４    中間仕切壁の中間板
１５ａ，１５ｂ  ナイトカバー取付板
１６    中間仕切壁の上部板
１７    ナイトカバー
１８    ノジング部
１９    支持部材
２０    温度計
２１    カードレール
２２    ノジングヒータ
２３    取手部
２４    フィルム部
Ｒ      ロール
３１    片面平型ショーケース
３２    商品収納部
３３    台座部
３４    外装パネル
３５    風防ガラス
３６    上部レール
３７    下部レール
３８    循環ダクト
３９    冷却器
４０    送風機
４１    背面壁
４２    吹出口
４３    吸込口
４４    中板
４５    断熱材
４６    断熱材
４７    中間板
４８    断熱材
４９    ナイトカバー取付板
５０    背面壁の上部板
５１    ナイトカバー
５２    ノジング部
５３    支持部材
５４    温度計
５５    カードレール
５６    ノジングヒータ
５７    取手部
５８    フィルム部
ＲＬ    ロール
【図１】
0003846603.tif 000002
【図２】
0003846603.tif 000003
【図３】
0003846603.tif 000004
【図４】
0003846603.tif 000005
【図５】
0003846603.tif 000006
【図６】
0003846603.tif 000007